(57)【要約】【課題】空気調和機の動作状態を効率的に表現することができる空気調和機を提供する。【解決手段】送風口１９９を有する空気調和機１００が提供される。空気調和機１００は、送風口１９９の長手方向に沿って配列される複数のライト１３２１〜１３２５と、空気調和機１００の動作状態に対応する色で、ライトを点灯または点滅させるためのプロセッサ１１０と、を備える。【選択図】図１
2020016340.tif 000002
【特許請求の範囲】
【請求項１】
送風口を有する空気調和機であって、
前記送風口の長手方向に沿って配列される複数のライトと、
前記空気調和機の動作状態に対応する色で、前記ライトを点灯または点滅させるためのプロセッサと、を備える空気調和機。
【請求項２】
前記複数のライトの各々は、前記送風口の長手方向と同じ方向に長い発光エリアを有する、請求項１に記載の空気調和機。
【請求項３】
前記プロセッサは、風量が多いほど、前記複数のライトを強く点灯または点滅させる、請求項１または２に記載の空気調和機。
【請求項４】
前記プロセッサは、前記送風口からの風向きに合わせて、前記複数のライトのうちの第１のライトが消灯する前に前記複数のライトのうちの第２のライトを点灯するようにして、前記複数のライトのうちの複数のライトを順に点滅させる、請求項１から３のいずれか１項に記載の空気調和機。
【請求項５】
前記プロセッサは、
風向き変更時または確定時に、新たな風向きの方向に向けて前記複数のライトの少なくとも２つのライトを順に点滅させ、
前記点滅処理終了後に、風向きの方向を示す前記複数のライトの少なくとも１つのライトを点灯させる、請求項１から４のいずれか１項に記載の空気調和機。
【請求項６】
前記プロセッサは、所定の命令に応じて、前記複数のライトのうちの点灯するライトの数を時間の経過とともに減らしていく、請求項１から５のいずれか１項に記載の空気調和機。
【発明の詳細な説明】
【技術分野】
【０００１】
本発明は、空気調和機の技術に関し、特に空気調和機の動作状態を視覚的に示すための技術に関する。
【背景技術】
【０００２】
従来から、空気調和機の動作状態を視覚的に示すための技術が知られている。たとえば、特開２００２−５４９７号公報（特許文献１）には、空気調和機が開示されている。特許文献１によると、空気調和機は、空気吹き出し口にほぼ水平に設けられた薄板を上下に駆動し、空気吹き出し口から吹き出される気流の方向を上下に変化させる上下風向調節機構と、空気吹き出し口の左側部分にほぼ垂直に設けられた薄板の向きを左右に駆動し、空気吹き出し口の左側部分から吹き出される気流の方向を左右に変化させる第１の左右風向調節機構と、空気吹き出し口の右側部分にほぼ垂直に設けられた薄板の向きを左右に駆動し、空気吹き出し口の右側部分から吹き出される気流の方向を左右に変化させる第２の左右風向調節機構と、第１の左右風向調節機構が駆動される場合を表示する第１の表示部と、第２の左右風向調節機構が駆動される場合を表示する第２の表示部とを有する。
【０００３】
また、特開２０１０−１９０５０１号公報（特許文献２）にも、空気調和機が開示されている。特許文献２によると、表示装置は、長手方向の正面の少なくとも一部を外部に臨ませたほぼ長方形の導光体と、該導光体の長手方向の背面に対向して該導光体の長手方向に並んで直列配置された複数個の単色ＬＥＤと、導光体の長手方向の一方の端面と他方の端面に対向してそれぞれ配置された２個の３色ＬＥＤとを備える。
【先行技術文献】
【特許文献】
【０００４】
【特許文献１】特開２００２−５４９７号公報
【特許文献２】特開２０１０−１９０５０１号公報
【発明の概要】
【発明が解決しようとする課題】
【０００５】
空気調和機の動作状態を効率的に表現するための技術が求められている。そこで、本発明の目的は、空気調和機の動作状態を効率的に表現することができる空気調和機を提供することにある。
【課題を解決するための手段】
【０００６】
この発明のある態様に従うと、送風口を有する空気調和機が提供される。空気調和機は、送風口の長手方向に沿って配列される複数のライトと、空気調和機の動作状態に対応する色で、ライトを点灯または点滅させるためのプロセッサと、を備える。
【発明の効果】
【０００７】
以上のように、この発明によれば、空気調和機の動作状態を効率的に表現することができる空気調和機が提供される。
【図面の簡単な説明】
【０００８】
【図１】第１の実施の形態にかかる空気調和機１００の正面図である。
【図２】第１の実施の形態にかかる前カバー１０１の下部を持ち上げた状態の空気調和機１００の正面図である。
【図３】第１の実施の形態にかかる空気調和機１００の構成を示すブロック図である。
【図４】第１の実施の形態にかかる空気調和機１００の情報処理を示すフローチャートである。
【図５】第１の実施の形態にかかる空気調和機１００の風向き変更時（確定時）の点灯方法を示すイメージ図である。
【図６】第１の実施の形態にかかる空気調和機１００の風向きの左方向への変更が完了した後の点灯方法を示すイメージ図である。
【図７】第１の実施の形態にかかる空気調和機１００の風向きの中央方向への変更が完了した後の点灯方法を示すイメージ図である。
【図８】第１の実施の形態にかかる空気調和機１００の風向きの右方向への変更が完了した後の点灯方法を示すイメージ図である。
【図９】第２の実施の形態にかかるリモートコントローラ２００の正面図である。
【図１０】第２の実施の形態にかかるリモートコントローラ２００の構成を示すブロック図である。
【図１１】第２の実施の形態の空気調和機１００の動作を示すイメージ図である。
【図１２】第３の実施の形態の空気調和機１００の動作を示すイメージ図である。
【図１３】第４の実施の形態の空気調和機１００の動作を示すイメージ図である。
【図１４】第５の実施の形態にかかる空気調和機１００の情報処理を示すフローチャートである。
【図１５】第５の実施の形態の空気調和機１００の動作を示すイメージ図である。
【図１６】第６の実施の形態にかかる空気調和機１００の第１の情報処理を示すフローチャートである。
【図１７】第６の実施の形態にかかる空気調和機１００の第２の情報処理を示すフローチャートである。
【図１８】第６の実施の形態にかかる空気調和機１００の第３の情報処理を示すフローチャートである。
【図１９】第７の実施の形態の空気調和機１００の第１の動作を示すイメージ図である。
【図２０】第７の実施の形態の空気調和機１００の第２の動作を示すイメージ図である。
【図２１】第７の実施の形態の空気調和機１００の第３の動作を示すイメージ図である。
【図２２】第８の実施の形態にかかる前カバー１０１の下部を持ち上げた状態の空気調和機１００の正面図である。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜空気調和機１００の全体構成＞
【００１０】
まず、図１および図２を参照して、本実施の形態にかかる空気調和機１００の全体構成について説明する。なお、図１は、本実施の形態にかかる空気調和機１００の正面図である。図２は、本実施の形態にかかる前カバー１０１の下部を持ち上げた状態の空気調和機１００の正面図である。
【００１１】
本実施の形態にかかる空気調和機１００には、横長の、すなわち左右方向に長い送風口１９９が形成されている。
【００１２】
空気調和機１００には、送風口１９９の側部に第１のライト群１３１が配置されている。第１のライト群１３１は、イオンの発生やタイマー運転など、空気調和機１００の運転状態を示すための光を出力するためのライト１３１１，１３１２を含む。
【００１３】
さらに空気調和機１００には、送風口１９９の上方に、第２のライト群１３２が配置されている。より詳細には、本実施の形態においては、第２のライト群１３２として、送風口１９９と平行に、すなわち左右方向に、第１の左ライト１３２１と、第２の左ライト１３２２と、中央ライト１３２３と、第２の右ライト１３２４と、第１の右ライト１３２５とが配置されている。
【００１４】
そして、特に、第１の左ライト１３２１と、第２の左ライト１３２２と、中央ライト１３２３と、第２の右ライト１３２４と、第１の右ライト１３２５の各々は、赤、黄、緑などのＬＥＤライトを含み、空気調和機１００の動作に応じて複数色の光を出力することができる。
【００１５】
また、本実施の形態においては、第１の左ライト１３２１と、第２の左ライト１３２２と、中央ライト１３２３と、第２の右ライト１３２４と、第１の右ライト１３２５の各々は、左右方向に長いエリア、たとえば楕円形状のエリアまたは長方形のエリアから光を出力する。
【００１６】
そして、後述するように、空気調和機１００は、第１の左ライト１３２１と、第２の左ライト１３２２と、中央ライト１３２３と、第２の右ライト１３２４と、第１の右ライト１３２５の各々の、消灯・点滅・点灯や、光の色や、光の強度などを変化させることによって、空気調和機１００の動作状態などを表現することができる。以下では、そのような機能を有する空気調和機１００の具体的な構成について詳述する。
＜空気調和機１００の構成＞
【００１７】
まず、図３を参照して、本実施の形態にかかる空気調和機１００の構成について説明する。空気調和機１００は、主たる構成要素として、ＣＰＵ（Central Processing Unit）１１０と、メモリ１２０と、第１のライト群１３１と、第２のライト群１３２と、操作部１４０と、赤外線インターフェイス１５０と、通信インターフェイス１６０と、スピーカ１７０と、機器駆動部１９０とを含む。
【００１８】
ＣＰＵ１１０は、メモリ１２０あるいは外部の記憶媒体に記憶されているプログラムを実行することによって、空気調和機１００の各部を制御する。
【００１９】
メモリ１２０は、各種のＲＡＭ（Random Access Memory）、各種のＲＯＭ（Read Only Memory）などによって実現される。メモリ１２０は、ＣＰＵ１１０によって実行されるプログラムや、ＣＰＵ１１０によるプログラムの実行により生成されたデータ、操作部１４０を介して入力されたデータ、リモートコントローラから受信したデータ、ルータやインターネットを介してサーバなどから受信したデータなどを記憶する。
【００２０】
第１のライト群１３１と第２のライト群１３２は、ＣＰＵ１１０からの信号に基づいて、点灯したり、点滅したり、消灯したりする。
【００２１】
操作部１４０は、ボタン、タッチパネル、キーボードなどによって実現され、ユーザからの命令を受け付けて、当該命令をＣＰＵ１１０に入力する。
【００２２】
赤外線インターフェイス１５０は、リモートコントローラからの命令を受け付けてＣＰＵ１１０に受け渡す。
【００２３】
通信インターフェイス１６０は、無線ＬＡＮまたは有線ＬＡＮなどの通信モジュールによって実現される。通信インターフェイス１６０は、有線通信あるいは無線通信によって他の装置との間でデータをやり取りする。すなわち、ＣＰＵ１１０は、通信インターフェイス１６０を介して、サーバなどの他の装置から各種の情報を受信したり、当該他の装置に各種の情報を送信したりする。
【００２４】
スピーカ１７０は、ＣＰＵ１１０からの信号に基づいて、警告音やメッセージなどの音声を出力する。
【００２５】
機器駆動部１９０は、ＣＰＵ１１０からの信号に基づいて、電気機器の各部（モータやヒータなど）を制御する。
＜空気調和機１００の情報処理＞
【００２６】
次に、図４を参照して、本実施の形態にかかる空気調和機１００の情報処理について説明する。ＣＰＵ１１０は、リモコンからの命令やタイマーなどに基づいて、新たな動作を実行する際に、以下の処理を実行する。
【００２７】
ＣＰＵ１１０は、送風口１９９から吹き出す風の向きを決定する（ステップＳ１０２）。
【００２８】
ＣＰＵ１１０は、現在の運転モードに基づく色特定処理を実行する（ステップＳ１１０）。たとえば、ＣＰＵ１１０は、冷房・暖房・送風など、現在の運転モードを特定する。そして、ＣＰＵ１１０は、運転モードに対応する色を特定する。たとえば、ＣＰＵ１１０は、冷房時には青色を、暖房時には赤色を、送風時には緑色を選択する。
【００２９】
次に、ＣＰＵ１１０は、現在の風量に基づく強度特定処理を実行する（ステップＳ１２０）。たとえば、ＣＰＵ１１０は、風量が強い場合は第２のライト群１３２の強度を強めに設定し、風量が弱い場合は第２のライト群１３２の強度を弱めに設定する。
【００３０】
ＣＰＵ１１０は、風向きの変更時または新たな風向きが確定した時、運転モードに基づいた光の色と、風量に基づいた光の強度で、第２のライト群１３２を点滅させる（ステップＳ１０４）。より詳細には、風向きの変更時または新たな風向きが確定した時には、図５に示すように、ＣＰＵ１１０は、運転モードに対応する色で、風量に対応する強度で、中央ライト１３２３を点灯させ、第２の左ライト１３２２を点灯させ、第１の左ライト１３２１を点灯させ、次に中央のライト１３２３を消灯させ、第２の左ライト１３２２を消灯させ、第１の左ライト１３２１を消灯させ、まだ、中央のライト１３２３の点灯から繰り返す。
【００３１】
図４に戻って、ＣＰＵ１１０は、風向きの変更時または新たな風向きが確定した時のライトの点滅処理が完了すると、運転モードに基づいた色と、風量に基づいた強度で、第２のライト群１３２を点灯させる（ステップＳ１０６）。より詳細には、図６に示すように、風向きが左方向の場合は、ＣＰＵ１１０は、運転モードに対応する色で、風量に対応する強度で、第１の左ライト１３２１を点灯させる。風向きが中央の場合は、図７に示すように、ＣＰＵ１１０は、運転モードに対応する色で、風量に対応する強度で、中央ライト１３２３を点灯させる。当然に、風向きが右の場合は、図８に示すように、ＣＰＵ１１０は、運転モードに対応する色で、風量に対応する強度で、第１の右ライト１３２５を点灯させる。
＜第２の実施の形態＞
【００３２】
本実施の形態にかかる空気調和機１００は、第１の実施の形態の機能に加えて、あるいは第１の実施の機能の一部の代わりに、以下の機能を有する。
＜ライト点灯機能＞
【００３３】
まず、説明のために、空気調和機１００のリモートコントローラ２００の構成について説明する。図９に示すように、本実施の形態にかかるリモートコントローラ２００は、たとえば、ライトを点灯させるためのライトボタン２４１、就寝時用のライトの制御を開始するためのおやすみボタン２４２、風向きを指定するための風向きボタン２４３、風量を指定するための風量ボタン２４４、イオンを発生させるためのイオン発生ボタン２４５、動作状態やタイマー機能などを表示するためのディスプレイ２３０を搭載する。
【００３４】
より詳細には、図１０に示すように、リモートコントローラ２００は、主たる構成要素として、ＣＰＵ２１０と、メモリ２２０と、ディスプレイ２３０、操作部２４０と、赤外線インターフェイス２６０と、スピーカ２７０とを含む。
【００３５】
ＣＰＵ２１０は、メモリ２２０あるいは外部の記憶媒体に記憶されているプログラムを実行することによって、リモートコントローラ２００の各部を制御する。
【００３６】
メモリ２２０は、各種のＲＡＭ、各種のＲＯＭなどによって実現される。メモリ２２０は、ＣＰＵ２１０によって実行されるプログラムや、ＣＰＵ２１０によるプログラムの実行により生成されたデータ、操作部２４０を介して入力された命令などを記憶する。
【００３７】
ディスプレイ２３０は、ＣＰＵ２１０からの信号に基づいて、文字や画像などを出力する。なお、ディスプレイ２３０は、単にライトであってもよい。
【００３８】
操作部２４０は、ライトボタン２４１・おやすみボタン２４２・風向きボタン２４３・風量ボタン２４４・イオン発生ボタン２４５などのボタン、タッチパネル、キーボードなどによって実現され、ユーザからの命令を受け付けて、当該命令をＣＰＵ２１０に入力する。なお、ディスプレイ２３０と操作部２４０とは、タッチパネルを構成してもよい。
【００３９】
赤外線インターフェイス２６０は、入力された命令を示す信号を空気調和機１００に送信する。
【００４０】
スピーカ２７０は、ＣＰＵ２１０からの信号に基づいて、警告音やメッセージなどの音声を出力する。
【００４１】
以下、図１１を参照しながら、本実施の形態にかかる動作に関して説明する。ユーザが、ライトボタン２４１を押すと、ＣＰＵ２１０は、ライト点灯命令あるいはライト「強」命令を空気調和機１００に送信する。空気調和機１００のＣＰＵ１１０は、受信した命令に基づいて、図１１（Ａ）に示すように、第２のライト群１３２を点灯させる。たとえばこのとき、ＣＰＵ１１０は、ライトの強度を強めに設定する。
【００４２】
次に、ユーザが、ライトボタン２４１を押すと、ＣＰＵ２１０は、ライト点灯命令あるいはライト「中」命令を空気調和機１００に送信する。空気調和機１００のＣＰＵ１１０は、受信した命令に基づいて、図１１（Ｂ）に示すように、第２のライト群１３２の強度を変更する。たとえば、ＣＰＵ１１０は、ライトの強度を中ぐらいに設定する。
【００４３】
次に、ユーザが、ライトボタン２４１を押すと、ＣＰＵ２１０は、ライト点灯命令あるいはライト「弱」命令を空気調和機１００に送信する。空気調和機１００のＣＰＵ１１０は、受信した命令に基づいて、図１１（Ｃ）に示すように、第２のライト群１３２の強度を変更する。たとえば、ＣＰＵ１１０は、ライトの強度を弱めに設定する。
【００４４】
次に、ユーザが、ライトボタン２４１を押すと、ＣＰＵ２１０は、ライト点灯命令あるいはライト消灯命令を空気調和機１００に送信する。空気調和機１００のＣＰＵ１１０は、受信した命令に基づいて、図１１（Ｄ）に示すように、第２のライト群１３２を消灯する。
【００４５】
これによって、ユーザは、空気調和機１００用のリモートコントローラ２００によって、容易に照明の操作をすることができる。
＜第３の実施の形態＞
【００４６】
本実施の形態にかかる空気調和機１００は、第１〜第２の実施の形態の機能に加えて、あるいは第１〜第２の実施の機能の一部の代わりに、以下の機能を有する。
＜おやすみ消灯機能＞
【００４７】
以下、図１２を参照しながら、本実施の形態にかかる特徴的な動作に関して説明する。ユーザが、おやすみボタン２４２を押すと、ＣＰＵ２１０は、おやすみ消灯命令を空気調和機１００に送信する。空気調和機１００のＣＰＵ１１０は、受信した命令に基づいて、図１２（Ａ）に示すように、第２のライト群１３２を点灯させる。たとえばこのとき、ＣＰＵ１１０は、ライトの強度を強めに設定する。
【００４８】
所定時間たとえば１５分が経過すると、空気調和機１００のＣＰＵ１１０は、図１２（Ｂ）に示すように、第２のライト群１３２の強度を変更する。たとえば、ＣＰＵ１１０は、ライトの強度を中ぐらいに設定する。
【００４９】
所定時間たとえば１５分が経過すると、空気調和機１００のＣＰＵ１１０は、図１２（Ｃ）に示すように、第２のライト群１３２の強度を変更する。たとえば、ＣＰＵ１１０は、ライトの強度を弱めに設定する。
【００５０】
所定時間たとえば１５分が経過すると、空気調和機１００のＣＰＵ１１０は、図１２（Ｄ）に示すように、第２のライト群１３２を消灯する。
【００５１】
これによって、ユーザは、空気調和機１００用のリモートコントローラ２００によって、容易に就寝前の照明の操作をすることができる。
＜第４の実施の形態＞
【００５２】
本実施の形態にかかる空気調和機１００は、第１〜第３の実施の形態の機能に加えて、あるいは第１〜第３の実施の機能の一部の代わりに、以下の機能を有する。
＜機能アピール機能＞
【００５３】
以下、図１３を参照しながら、本実施の形態にかかる特徴的な動作に関して説明する。ユーザが、各種の機能をＯＮするためのボタン、たとえばイオン発生ボタン２４５を押すと、ＣＰＵ２１０は、イオン発生命令を空気調和機１００に送信する。空気調和機１００のＣＰＵ１１０は、受信した命令に基づいて、各種機能を有効にするとともに、図１３（Ａ）に示すように、第２のライト群１３２を点灯させる。たとえばこのとき、ＣＰＵ１１０は、ライトの強度を強めに設定する。
【００５４】
所定時間たとえば１分が経過すると、空気調和機１００のＣＰＵ１１０は、図１３（Ｂ）に示すように、第２のライト群１３２の強度を変更する。たとえば、ＣＰＵ１１０は、ライトの強度を中ぐらいに設定する。
【００５５】
所定時間たとえば１分が経過すると、空気調和機１００のＣＰＵ１１０は、図１３（Ｃ）に示すように、第２のライト群１３２の強度を変更する。たとえば、ＣＰＵ１１０は、ライトの強度を弱めに設定する。
【００５６】
所定時間たとえば１分が経過すると、空気調和機１００のＣＰＵ１１０は、図１３（Ｄ）に示すように、第２のライト群１３２を消灯する。
【００５７】
これによって、ユーザは、各種の機能が有効になったことを認識しやすくなる。
＜第５の実施の形態＞
【００５８】
第１〜第４の実施の形態にかかる空気調和機１００は、風量に応じて、第２のライト群１３２の強度を変更するものであった。しかしながら、空気調和機１００は、第２のライト群１３２の点灯するライトの個数を変更してもよい。あるいは、強度と個数とを共に変更していくものであってもよい。
＜空気調和機１００の情報処理＞
【００５９】
図１４を参照して、本実施の形態にかかる空気調和機１００の情報処理について説明する。ＣＰＵ１１０は、リモコンからの命令やタイマーなどに基づいて、新たな動作を実行する際に、以下の処理を実行する。
【００６０】
ＣＰＵ１１０は、送風口１９９から吹き出す風の向きを決定する（ステップＳ１０２）。
【００６１】
ＣＰＵ１１０は、現在の運転モードに基づく色特定処理を実行する（ステップＳ１１０）。
【００６２】
ＣＰＵ１１０は、現在の風量に基づく個数特定処理を実行する（ステップＳ１２０Ｂ）。たとえば、ＣＰＵ１１０は、図１５に示すように、風量が強い場合は第２のライト群１３２のうちの点灯・点滅するライトの個数を多く設定し、風量が弱い場合は第２のライト群１３２の点灯・点滅するライトの個数を少なく設定する。
【００６３】
図１４に戻って、ＣＰＵ１１０は、風向きの変更時または新たな風向きが確定した時、運転モードに基づいた色で、第２のライト群１３２を点滅させる（ステップＳ１０４）。より詳細には、風向きの左方向への変更時（確定時）には、図５に示すように、ＣＰＵ１１０は、運転モードに対応する色で、中央ライト１３２３を点灯させ、第２の左ライト１３２２を点灯させ、第１の左ライト１３２１を点灯させ、次に中央のライト１３２３を消灯させ、第２の左ライト１３２２を消灯させ、第１の左ライト１３２１を消灯させ、まだ、中央のライト１３２３の点灯から繰り返す。
【００６４】
図１４に戻って、ＣＰＵ１１０は、風向きの変更時または新たな風向きが確定した時のライトの点滅処理が完了すると、運転モードに基づいた色と、風量に基づいた個数で、第２のライト群１３２を点灯させる（ステップＳ１０６）。より詳細には、図１５に示すように、風向きが左方向に確定したときは、ＣＰＵ１１０は、運転モードに対応する色で、風量に対応する個数で、第２のライト群１３２を点灯させる。たとえば、ＣＰＵ１１０は、風向きが左で風量が強い場合は、第１の左ライト１３２１〜中央ライト１３２３を点灯させ、風向きが左で風量が中ぐらい場合は、第１の左ライト１３２１〜第２の左ライト１３２２を点灯させ、風向きが左で風量が弱い場合は、第１の左ライト１３２１を点灯させる。
【００６５】
同様に、ＣＰＵ１１０は、風向きが右で風量が強い場合は、中央ライト１３２３〜第１の右ライト１３２５を点灯させ、風向きが右で風量が中ぐらい場合は、第２の右ライト１３２４〜第１の右ライト１３２５を点灯させ、風向きが右で風量が弱い場合は、第１の右ライト１３２５を点灯させる。
【００６６】
同様に、ＣＰＵ１１０は、風向きが中央で風量が強い場合は、第１の左ライト１３２１〜第１の右ライト１３２５を点灯させ、風向きが中央で風量が中ぐらい場合は、第２の左ライト１３２２〜第２の右ライト１３２４を点灯させ、風向きが中央で風量が弱い場合は、中央ライト１３２３を点灯させる。
＜第６の実施の形態＞
【００６７】
第１〜第５の実施の形態にかかる空気調和機１００は、運転モードに応じて第２のライト群１３２の色を決定し、風量に応じて第２のライト群１３２の強度や個数を決定するものであった。しかしながら、当然に、図１６に示すように、空気調和機１００のＣＰＵ１１０は、運転モードに応じて第２のライト群１３２の色を決定し、風量では特に第２のライト群１３２の強度や個数を変更しなくてもよい。逆に、図１７に示すように、空気調和機１００のＣＰＵ１１０は、風量に応じて第２のライトの強度や個数を決定し、運転モードでは特に第２のライト群１３２の色を決定しなくてもよい。
【００６８】
あるいは、図１８に示すように、空気調和機１００のＣＰＵ１１０は、運転モードに応じて第２のライト群１３２の強度や個数を変更したり（ステップＳ１１０Ｂ）、風量に応じて第２のライト群１３２の色を変更したりしてもよい。
＜第７の実施の形態＞
また、第２の実施の形態のライト点灯機能に関して、図１９に示すように第２のライト群１３２の点灯・点滅するライトの個数を変更してもよい。あるいは、強度と個数とを共に変更していくものであってもよい。
【００６９】
より詳細には、ユーザが、ライトボタン２４１を押すと、ＣＰＵ２１０は、ライト点灯命令あるいはライト強命令を空気調和機１００に送信する。空気調和機１００のＣＰＵ１１０は、受信した命令に基づいて、図１９（Ａ）に示すように、第２のライト群１３２を点灯させる。たとえばこのとき、ＣＰＵ１１０は、第２のライト群１３２のうち５つのライト１３２１〜１３２５を点灯させる。
【００７０】
次に、ユーザが、ライトボタン２４１を押すと、ＣＰＵ２１０は、ライト点灯命令あるいはライト中命令を空気調和機１００に送信する。空気調和機１００のＣＰＵ１１０は、受信した命令に基づいて、図１９（Ｂ）に示すように、第２のライト群１３２のうち３つのライト１３２２〜１３２４を点灯させる。
【００７１】
次に、ユーザが、ライトボタン２４１を押すと、ＣＰＵ２１０は、ライト点灯命令あるいはライト弱命令を空気調和機１００に送信する。空気調和機１００のＣＰＵ１１０は、受信した命令に基づいて、図１９（Ｃ）に示すように、第２のライト群１３２のうち１つのライト１３２３を点灯させる。
【００７２】
次に、ユーザが、ライトボタン２４１を押すと、ＣＰＵ２１０は、ライト点灯命令あるいはライト消灯命令を空気調和機１００に送信する。空気調和機１００のＣＰＵ１１０は、受信した命令に基づいて、図１９（Ｄ）に示すように、第２のライト群１３２のうちのすべてのライトを消灯する。
【００７３】
これによって、ユーザは、空気調和機１００用のリモートコントローラ２００によって、容易に照明の操作をすることができる。
【００７４】
同様に、第３の実施の形態のおやすみ消灯機能に関しても、図２０に示すように第２のライト群１３２の点灯・点滅するライトの個数を変更してもよい。
【００７５】
ユーザが、おやすみボタン２４２を押すと、ＣＰＵ２１０は、おやすみ消灯命令を空気調和機１００に送信する。空気調和機１００のＣＰＵ１１０は、受信した命令に基づいて、図２０（Ａ）に示すように、第２のライト群１３２を点灯させる。たとえばこのとき、ＣＰＵ１１０は、第２のライト群１３２のうち５つのライト１３２１〜１３２５を点灯させる。
【００７６】
所定時間たとえば１５分が経過すると、空気調和機１００のＣＰＵ１１０は、図２０（Ｂ）に示すように、第２のライト群１３２のうち３つのライト１３２２〜１３２４を点灯させる。
【００７７】
所定時間たとえば１５分が経過すると、空気調和機１００のＣＰＵ１１０は、図２０（Ｃ）に示すように、第２のライト群１３２のうち１つのライト１３２３を点灯させる。
【００７８】
所定時間たとえば１５分が経過すると、空気調和機１００のＣＰＵ１１０は、図２０（Ｄ）に示すように、第２のライト群１３２のすべてのライトを消灯する。
【００７９】
これによって、ユーザは、空気調和機１００用のリモートコントローラ２００によって、容易に就寝前の照明の操作をすることができる。
【００８０】
同様に、第４の実施の形態の機能アピール機能に関しても、図２１に示すように第２のライト群１３２の点灯・点滅するライトの個数を変更してもよい。
【００８１】
ユーザが、各種の機能をＯＮするためのボタン、たとえばイオン発生ボタン２４５を押すと、ＣＰＵ２１０は、イオン発生命令を空気調和機１００に送信する。空気調和機１００のＣＰＵ１１０は、受信した命令に基づいて、図２１（Ａ）に示すように、第２のライト群１３２を点灯させる。たとえばこのとき、ＣＰＵ１１０は、第２のライト群１３２のうち５つのライト１３２１〜１３２５を点灯させる。
【００８２】
所定時間たとえば１分が経過すると、空気調和機１００のＣＰＵ１１０は、図２１（Ｂ）に示すように、第２のライト群１３２のうち３つのライト１３２２〜１３２４を点灯させる。
【００８３】
所定時間たとえば１分が経過すると、空気調和機１００のＣＰＵ１１０は、図２１（Ｃ）に示すように、第２のライト群１３２のうち１つのライト１３２３を点灯させる。
【００８４】
所定時間たとえば１分が経過すると、空気調和機１００のＣＰＵ１１０は、図２１（Ｄ）に示すように、第２のライト群１３２のすべてのライトを消灯する。
【００８５】
これによって、ユーザは、各種の機能が有効になったことを認識しやすくなる。
＜第８の実施の形態＞
【００８６】
第１〜第７の実施の形態においては、第２のライト群１３２として５つのライトが配置されるものであった。しかしながら、ライトの個数は５つには限られるものではなく、図２２に示すように、空気調和機１００は、第２のライト群１３２として、７つのライトを有してもよい。
＜第９の実施の形態＞
【００８７】
第２のライト群１３２は、送風口１９９の上方の配置に限られない。第２のライト群１３２は、送風口１９９の下方に配置される複数のライトであってもよい。
＜第１０の実施の形態＞
【００８８】
空気調和機１００の送風口１９９は、横長の形状に限定されるものではなく、縦長であってもよい。
【００８９】
そして、第２のライト群１３２の各々のライトも、横長の光を出力するものに限定されるものではなく、縦長の送風口１９９に対しては縦長のエリアから光を出力することが好ましい。
【００９０】
なお、送風口１９９の形状に関わらず、第２のライト群１３２の各々のライトが、通常の円形の光を出力するものであってもよい。
＜まとめ＞
【００９１】
上記の実施の形態においては、送風口１９９を有する空気調和機１００が提供される。空気調和機１００は、送風口１９９の長手方向に沿って配列される複数のライト１３２１〜１３２５と、空気調和機１００の動作状態に対応する色で、ライトを点灯または点滅させるためのプロセッサ１１０と、を備える。
【００９２】
好ましくは、複数のライト１３２１〜１３２５の各々は、送風口１９９の長手方向と同じ方向に長い発光エリアを有する。
【００９３】
好ましくは、プロセッサ１１０は、風量が多いほど、複数のライト１３２１〜１３２５を強く点灯または点滅させる。
【００９４】
好ましくは、プロセッサ１１０は、送風口１９９からの風向きに合わせて、複数のライト１３２１〜１３２５のうちの第１のライトが消灯する前に複数のライトのうちの第２のライトを点灯するように、第２のライトが消灯する前に複数のライトのうちの第３のライトが点灯するようにして、複数のライトのうちの複数のライトを順に点滅させる。
【００９５】
好ましくは、プロセッサ１１０は、風向き変更時（確定時）には、新たな風向きの方向に向けて複数のライト１３２１〜１３２５の少なくとも２つのライトを順に点滅させ、風向き変更時（確定時）の点滅処理の後には、風向きの方向を示す複数のライト１３２１〜１３２５の少なくとも１つのライトを点灯させる。
【００９６】
好ましくは、プロセッサ１１０は、所定の命令に応じて、複数のライト１３２１〜１３２５のうちの点灯するライトの数を時間の経過とともに減らしていく。
【００９７】
好ましくは、プロセッサ１１０は、所定の命令に応じて、複数のライト１３２１〜１３２５のうちの点灯するライトの強度を時間の経過とともに弱くしていく
【００９８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００９９】
１００      ：空気調和機
１０１      ：前カバー
１１０      ：ＣＰＵ
１２０      ：メモリ
１３１      ：第１のライト群
１３２      ：第２のライト群
１３２１    ：第１の左ライト
１３２２    ：第２の左ライト
１３２３    ：中央ライト
１３２４    ：第２の右ライト
１３２５    ：第１の右ライト
１４０      ：操作部
１５０      ：赤外線インターフェイス
１６０      ：通信インターフェイス
１７０      ：スピーカ
１９０      ：機器駆動部
１９９      ：送風口
２００      ：リモートコントローラ
２１０      ：ＣＰＵ
２２０      ：メモリ
２３０      ：ディスプレイ
２４０      ：操作部
２４１      ：ライトボタン
２４２      ：おやすみボタン
２４３      ：風向きボタン
２４４      ：風量ボタン
２４５      ：イオン発生ボタン
２６０      ：赤外線インターフェイス
２７０      ：スピーカ
【図１】
2020016340.tif 000003
【図２】
2020016340.tif 000004
【図３】
2020016340.tif 000005
【図４】
2020016340.tif 000006
【図５】
2020016340.tif 000007
【図６】
2020016340.tif 000008
【図７】
2020016340.tif 000009
【図８】
2020016340.tif 000010
【図９】
2020016340.tif 000011
【図１０】
2020016340.tif 000012
【図１１】
2020016340.tif 000013
【図１２】
2020016340.tif 000014
【図１３】
2020016340.tif 000015
【図１４】
2020016340.tif 000016
【図１５】
2020016340.tif 000017
【図１６】
2020016340.tif 000018
【図１７】
2020016340.tif 000019
【図１８】
2020016340.tif 000020
【図１９】
2020016340.tif 000021
【図２０】
2020016340.tif 000022
【図２１】
2020016340.tif 000023
【図２２】
2020016340.tif 000024